(57)【特許請求の範囲】
【請求項１】
施錠対象物を含む施設に設けられた複数の部屋のうち指定したものへの呼び出しを行う際の番号入力のために使用される入力装置である操作部と、
前記部屋ごとに、部屋番号と、第１電話機の電話番号と、第２電話機の電話番号との関係を示す第１データベースを記録する記録部と、
前記操作部を介して前記番号入力を行って前記部屋の何れかに呼び出しが行われた時に、無線通信手段を使って、前記第１電話機と通信を行い、前記第１電話機への通信の次に前記第１電話機を介さずに前記第２電話機と通信を行う第１通信部とを備える施錠解除制御装置であって、
前記無線通信手段は、携帯電話回線若しくは無線ＬＡＮであり、
前記第１電話機は、前記部屋に配線された電話回線と有線接続された固定電話機であり、
前記第２電話機は、携帯電話機であり、
前記操作部を使った操作で、前記第１データベースに含まれる部屋番号に対応する部屋の呼び出しが行われた場合に、前記第１データベースに基づいて、前記第１通信部から前記部屋番号に対応する前記第１電話機への発呼が行われ、
前記第１電話機への発呼の後、第１時間経過するまでに、前記第１電話機からの応答が無い場合は、前記第１電話機への発呼は解除され、前記部屋番号に対応する前記第２電話機への発呼が行われ、
前記第１通信部と通話状態にある前記第１電話機若しくは前記第２電話機において所定の操作が行われた場合に、前記施錠解除制御装置は、前記施錠対象物の施錠及び施錠解除を行う施錠装置に対して、前記施錠の解除制御を行うことを特徴とする施錠解除制御装置。
【請求項２】
前記施錠装置は、複数設けられ、
前記複数の施錠装置のそれぞれは、収納装置に設けられ、
前記第１通信部と通話状態にある前記第１電話機若しくは前記第２電話機において前記所定の操作時に、前記第１電話機若しくは前記第２電話機を介して前記複数の施錠装置のうち１つを指定する操作が行われた場合に、前記施錠解除制御装置は、前記指定された施錠装置に対して、前記施錠の解除制御を行うことを特徴とする請求項１に記載の施錠解除制御装置。
【請求項３】
前記施錠装置は、複数設けられ、
前記複数の施錠装置のそれぞれは、収納装置に設けられ、
前記施錠装置が設けられた収納装置のそれぞれには、前記収納装置に収納物が収められているか否かを検知するために使用されるセンサーが設けられ、
前記第１通信部と通話状態にある前記第１電話機若しくは前記第２電話機において所定の操作が行われた場合に、前記施錠解除制御装置は、前記センサーからの情報に基づいて、前記施錠装置のうち、収納物が収められていない収納装置の１つを指定し、前記収納物が収められていない収納装置として指定したものに対して、前記施錠の解除制御を行うことを特徴とする請求項１に記載の施錠解除制御装置。
【請求項４】
前記第２電話機は、ＳＭＳメッセージの受け取りが可能な携帯電話機であり、
前記施錠解除制御装置は、前記第１通信部を介して、前記施錠の解除制御が行われた施錠装置に対応する収納装置に関する情報を、ＳＭＳで、前記第２電話機であって、前記所定の操作に使用されたもの、若しくは前記所定の操作に使用された前記第１電話機と前記第１データベースにおいて同じ部屋番号が付与されているものの電話番号へ送信するメッセージ送信制御を行うことを特徴とする請求項２または請求項３に記載の施錠解除制御装置。
【請求項５】
前記第１データベースは、前記部屋番号と、前記第１電話機の電話番号と、前記第２電話機の電話番号と、メールアドレスとの関係を示すものであり、
前記施錠解除制御装置は、前記第１通信部を介して、前記施錠の解除制御が行われた施錠装置に対応する収納装置に関する情報を、前記メールアドレスであって、前記所定の操作に使用された前記第１電話機若しくは前記第２電話機と前記第１データベースにおいて同じ部屋番号が付与されているものへ送信するメッセージ送信制御を行うことを特徴とする請求項２または請求項３に記載の施錠解除制御装置。
【請求項６】
前記施錠装置は、複数設けられ、
前記複数の施錠装置のそれぞれは、収納装置に設けられ、
前記施錠装置が設けられた収納装置のそれぞれには、前記収納装置に収納物が収められているか否かを検知するために使用されるセンサーが設けられ、
前記第１通信部と通話状態にある前記第１電話機若しくは前記第２電話機において前記所定の操作が行われた場合に、前記施錠解除制御装置は、前記センサーからの情報に基づいて、前記施錠装置のうち、収納物が収められていない収納装置の１つを指定し、前記収納物が収められていない収納装置として指定したものに対して、前記施錠の解除制御を行うものであり、
前記第２電話機は、ＳＭＳメッセージの受け取りが可能な携帯電話機であり、
前記施錠解除制御装置は、前記第１通信部を介して、前記施錠の解除制御が行われた施錠装置に対応する収納装置に関する情報を、ＳＭＳで、前記第２電話機であって、前記所定の操作に使用されたもの、若しくは前記所定の操作に使用された前記第１電話機と前記第１データベースにおいて同じ部屋番号が付与されているものの電話番号へ送信するメッセージ送信制御を行うものであり、
前記センサーであって、前記施錠の解除制御が行われた施錠装置に対応する収納装置に設けられたものからの情報に基づいて、前記施錠解除制御装置は、前記施錠の解除制御が行われた後に前記収納装置に収納物が保管されたか否かを判断し、前記施錠の解除制御が行われた施錠装置に対応する収納装置に関する情報として、前記第２電話機へのメッセージの内容に、収納物が保管された旨を含めるか否かを判断することを特徴とする請求項１に記載の施錠解除制御装置。
【請求項７】
前記第１データベースは、前記部屋番号と、前記第１電話機の電話番号と、前記第２電話機の電話番号と、メールアドレスとの関係を示すものであり、
前記施錠装置は、複数設けられ、
前記複数の施錠装置のそれぞれは、収納装置に設けられ、
前記施錠装置が設けられた収納装置のそれぞれには、前記収納装置に収納物が収められているか否かを検知するために使用されるセンサーが設けられ、
前記第１通信部と通話状態にある前記第１電話機若しくは前記第２電話機において前記所定の操作が行われた場合に、前記施錠解除制御装置は、前記センサーからの情報に基づいて、前記施錠装置のうち、収納物が収められていない収納装置の１つを指定し、前記収納物が収められていない収納装置として指定したものに対して、前記施錠の解除制御を行うものであり、
前記施錠解除制御装置は、前記第１通信部を介して、前記施錠の解除制御が行われた施錠装置に対応する収納装置に関する情報を、前記メールアドレスであって、前記所定の操作に使用された前記第１電話機若しくは前記第２電話機と前記第１データベースにおいて同じ部屋番号が付与されているものへ送信するメッセージ送信制御を行うものであり、
前記センサーであって、前記施錠の解除制御が行われた施錠装置に対応する収納装置に設けられたものからの情報に基づいて、前記施錠解除制御装置は、前記施錠の解除制御が行われた後に前記収納装置に収納物が保管されたか否かを判断し、前記施錠の解除制御が行われた施錠装置に対応する収納装置に関する情報として、前記メールアドレスへのメッセージの内容に、収納物が保管された旨を含めるか否かを判断することを特徴とする請求項１に記載の施錠解除制御装置。
【請求項８】
読み取り媒体に含まれる使用者の識別情報を読み取りする読み取り部を更に備え、
前記第２電話機は、ＳＭＳメッセージの受け取りが可能な携帯電話機であり、
前記読み取り部による前記読み取り媒体に含まれる識別情報の読み取りが行われ、前記読み取りに対応して、前記施錠解除装置は、前記施錠装置に対して、前記施錠の解除制御を行うものであり、
前記第１データベースは、前記部屋番号と、前記第１電話機の電話番号と、前記第２電話機の電話番号と、前記第２電話番号へ送信するＳＭＳメッセージに含まれる使用者名称であって前記読み取り部を介して施錠解除した読み取り媒体の識別情報に対応するものの名称との関係を示すものであり、
前記読み取りに対応して、前記施錠の解除制御が行われた時に、前記施錠解除制御装置は、前記第１データベースに基づいて、前記第１通信部を介して、前記読み取りに関する情報を、ＳＭＳで、前記読み取り媒体の識別情報に対応する前記第２電話機の電話番号へ送信するメッセージ送信制御を行うことを特徴とする請求項１に記載の施錠解除制御装置。
【請求項９】
読み取り媒体に含まれる使用者の識別情報を読み取りする読み取り部を更に備え、
前記読み取り部による前記読み取り媒体に含まれる識別情報の読み取りが行われ、前記読み取りに対応して、前記施錠解除装置は、前記施錠装置に対して、前記施錠の解除制御を行うものであり、
前記第１データベースは、前記部屋番号と、前記第１電話機の電話番号と、前記第２電話機の電話番号と、メールアドレスと、前記メールアドレスに送信するメッセージに含まれる使用者名称であって前記読み取り部を介して施錠解除した読み取り媒体の識別情報に対応するものの名称との関係を示すものであり、
前記読み取りに対応して、前記施錠の解除制御が行われた時に、前記施錠解除制御装置は、前記第１データベースに基づいて、前記第１通信部を介して、前記読み取りに関する情報を、前記読み取り媒体の識別情報に対応する前記メールアドレスへ送信するメッセージ送信制御を行うことを特徴とする請求項１に記載の施錠解除制御装置。
【請求項１０】
発電を行う発電部と、前記発電部で発生した電力を蓄積する蓄電部とを更に備え、
前記発電部や前記蓄電部は、前記操作部が取り付けられる筐体に配置されるものであり、
前記発電部で発生した電力や、前記蓄電部に蓄積された電力に基づいて、前記施錠解除制御装置と前記施錠装置が駆動することを特徴とする請求項１に記載の施錠解除制御装置。
【発明の詳細な説明】
【技術分野】
【０００１】
本発明は、施錠解除制御装置に関する。
【背景技術】
【０００２】
特許文献１などで、施錠解除制御装置に相当する集合玄関機と、固定電話機に相当する居室親機と、携帯端末とで構成され、携帯端末でも施錠解除が可能な電子錠システムが提案されている。
【先行技術文献】
【特許文献】
【０００３】
【特許文献１】特開２０１１−９４２９２号公報
【発明の概要】
【発明が解決しようとする課題】
【０００４】
しかしながら、居室親機を操作することが出来る状況でない場合には、当該携帯端末を持たない者など施錠解除権限を持たない者の施錠解除要求に対して、施錠解除を行うことが出来ない。
【０００５】
したがって本発明の目的は、居室親機を操作しない状況で、施錠解除権限を持たない者の施錠解除要求に対して、施錠解除制御が可能な施錠解除制御装置を提供することである。
【課題を解決するための手段】
【０００６】
本発明に係る施錠解除制御装置は、施錠対象物を含む施設に設けられた部屋への呼び出しを行う際の番号入力のために使用される入力装置である操作部と、無線通信手段を使って、第１電話機や第２電話機と通信を行う第１通信部と、部屋ごとに、部屋番号と、第１電話機の電話番号と、第２電話機の電話番号との関係を示す第１データベースを記録する記録部とを備える施錠解除制御装置であって、第１電話機は、部屋に配線された電話回線と有線接続された固定電話機であり、操作部を使った操作で、第１データベースに含まれる部屋番号に対応する部屋の呼び出しが行われた場合に、第１データベースに基づいて、第１通信部から部屋番号に対応する第１電話機への発呼が行われ、第１電話機への発呼の後、第１時間経過するまでに、第１電話機からの応答が無い場合は、第１電話機への発呼は解除され、部屋番号に対応する第２電話機への発呼が行われ、第１通信部と通話状態にある第１電話機若しくは第２電話機において所定の操作が行われた場合に、施錠解除制御装置は、施錠対象物の施錠及び施錠解除を行う施錠装置に対して、施錠の解除制御を行う。
【０００７】
第１電話機の近くに人が居ないなど、部屋に配置された固定電話（第１電話機）を操作することが出来る状況でない場合でも、使用者が保持している可能性が高い第２電話機で応答が出来れば、施錠解除権限を持たない者の施錠解除要求に対して、第２電話機を使って施錠解除を行わせることが可能になる。
【０００８】
第１通信部からの発呼に応答した第１電話機や第２電話機において、所定の操作を行えば、施錠解除が出来るため、第１電話機や第２電話機に特定のソフトウエアをインストールする必要はない。
【０００９】
好ましくは、施錠装置は、複数設けられ、第１通信部と通話状態にある第１電話機若しくは第２電話機において所定の操作時に、複数の施錠装置のうち１つを指定する操作が行われた場合に、施錠解除制御装置は、指定された施錠装置に対して、施錠の解除制御を行う。
【００１０】
また、好ましくは、施錠装置は、複数設けられ、複数の施錠装置のそれぞれは、収納装置に設けられ、施錠装置が設けられた収納装置のそれぞれには、収納装置に収納物が収められているか否かを検知するために使用されるセンサーが設けられ、第１通信部と通話状態にある第１電話機若しくは第２電話機において所定の操作が行われた場合に、施錠解除制御装置は、センサーからの情報に基づいて、施錠装置のうち、収納物が収められていない収納装置に対応するものに対して、施錠の解除制御を行う。
【００１１】
さらに好ましくは、第２電話機は、ＳＭＳメッセージの受け取りが可能な携帯電話機であり、施錠解除制御装置は、第１通信部を介して、施錠の解除制御が行われた施錠装置に対応する収納装置に関する情報を、ＳＭＳで、第２電話機であって、所定の操作に使用されたもの、若しくは所定の操作に使用された第１電話機と第１データベースにおいて同じ部屋番号が付与されているものへ送信するメッセージ送信制御を行う。
【００１２】
第２電話機の使用者は、当該施錠解除を行った施錠装置に対応する収納装置に関する情報を、ＳＭＳメッセージで確認することが出来、後で、施錠解除制御装置を使って、指定された収納装置に設けられた施錠装置の施錠を解除し、当該収納装置に保管された収納物を取り出すことが出来る。
【００１３】
また、好ましくは、第１データベースは、部屋番号と、第１電話機の電話番号と、第２電話機の電話番号と、メールアドレスとの関係を示すものであり、施錠解除制御装置は、第１通信部を介して、施錠の解除制御が行われた施錠装置に対応する収納装置に関する情報を、メールアドレスであって、所定の操作に使用された第１電話機若しくは第２電話機と第１データベースにおいて同じ部屋番号が付与されているものへ送信するメッセージ送信制御を行う。
【００１４】
第２電話機などの使用者は、当該施錠解除を行った施錠装置に対応する収納装置に関する情報を、電子メールのメッセージで確認することが出来、後で、施錠解除制御装置を使って、指定された収納装置に設けられた施錠装置の施錠を解除し、当該収納装置に保管された収納物を取り出すことが出来る。
【００１５】
また、好ましくは、施錠装置は、複数設けられ、複数の施錠装置のそれぞれは、収納装置に設けられ、第１通信部と通話状態にある第１電話機若しくは第２電話機において所定の操作が行われた場合に、施錠解除制御装置は、複数の施錠装置のいずれかに対して、施錠の解除制御を行うものであり、第２電話機は、ＳＭＳメッセージの受け取りが可能な携帯電話機であり、施錠解除制御装置は、第１通信部を介して、施錠の解除制御が行われた施錠装置に対応する収納装置に関する情報を、ＳＭＳで、第２電話機であって、所定の操作に使用されたもの、若しくは所定の操作に使用された第１電話機と第１データベースにおいて同じ部屋番号が付与されているものへ送信するメッセージ送信制御を行うものであり、施錠装置が設けられた収納装置のそれぞれには、収納装置に収納物が収められているか否かを検知するために使用されるセンサーが設けられ、センサーであって、施錠の解除制御が行われた施錠装置に対応する収納装置に設けられたものからの情報に基づいて、施錠解除制御装置は、施錠の解除制御が行われた施錠装置に対応する収納装置に関する情報として、第２電話機へのメッセージの内容に、収納物が保管された旨を含めるか否かを判断する。
【００１６】
特定の収納装置の施錠が解除されたことだけでなく、当該収納装置に収納物が保管されたか否か（単に施錠解除しただけか否か）についても、第２電話機の使用者に知らせることが可能になる。
【００１７】
また、好ましくは、第１データベースは、部屋番号と、第１電話機の電話番号と、第２電話機の電話番号と、メールアドレスとの関係を示すものであり、施錠装置は、複数設けられ、複数の施錠装置のそれぞれは、収納装置に設けられ、第１通信部と通話状態にある第１電話機若しくは第２電話機において所定の操作が行われた場合に、施錠解除制御装置は、複数の施錠装置のいずれかに対して、施錠の解除制御を行うものであり、施錠解除制御装置は、第１通信部を介して、施錠の解除制御が行われた施錠装置に対応する収納装置に関する情報を、メールアドレスであって、所定の操作に使用された第１電話機若しくは第２電話機と第１データベースにおいて同じ部屋番号が付与されているものへ送信するメッセージ送信制御を行うものであり、施錠装置が設けられた収納装置のそれぞれには、収納装置に収納物が収められているか否かを検知するために使用されるセンサーが設けられ、センサーであって、施錠の解除制御が行われた施錠装置に対応する収納装置に設けられたものからの情報に基づいて、施錠解除制御装置は、施錠の解除制御が行われた施錠装置に対応する収納装置に関する情報として、メールアドレスへのメッセージの内容に、収納物が保管された旨を含めるか否かを判断する。
【００１８】
また、好ましくは、読み取り媒体に含まれる使用者の識別情報を読み取りする読み取り部を更に備え、第２電話機は、ＳＭＳメッセージの受け取りが可能な携帯電話機であり、読み取り部による読み取り媒体に含まれる識別情報の読み取りが行われ、読み取りに対応して、施錠解除装置は、施錠装置に対して、施錠の解除制御を行うものであり、第１データベースは、部屋番号と、第１電話機の電話番号と、第２電話機の電話番号と、第２電話番号へ送信するＳＭＳメッセージに含まれる使用者名称であって読み取り部を介して施錠解除した読み取り媒体の識別情報に対応するものの名称との関係を示すものであり、読み取りに対応して、施錠の解除制御が行われた時に、施錠解除制御装置は、第１データベースに基づいて、第１通信部を介して、読み取りに関する情報を、ＳＭＳで、読み取り媒体の識別情報に対応する第２電話機へ送信するメッセージ送信制御を行う。
【００１９】
読み取り媒体を使って施錠解除した者（子供）であって、第１データベースに登録した者の読み取りに関する情報を、第２電話機の使用者（当該子供の親）にＳＭＳで知らせることが可能になる。
【００２０】
ＳＭＳで知らせるため、第２電話機が携帯電話回線を使って通信可能な状態（ＳＭＳの受信が可能な状態）であれば、特定のソフトウエアをインストールする必要なく、施錠解除したことをすぐに第２電話機の使用者に知らせることが可能になる。
【００２１】
また、好ましくは、読み取り媒体に含まれる使用者の識別情報を読み取りする読み取り部を更に備え、読み取り部による読み取り媒体に含まれる識別情報の読み取りが行われ、読み取りに対応して、施錠解除装置は、施錠装置に対して、施錠の解除制御を行うものであり、第１データベースは、部屋番号と、第１電話機の電話番号と、第２電話機の電話番号と、メールアドレスと、メールアドレスに送信するメッセージに含まれる使用者名称であって読み取り部を介して施錠解除した読み取り媒体の識別情報に対応するものの名称との関係を示すものであり、読み取りに対応して、施錠の解除制御が行われた時に、施錠解除制御装置は、第１データベースに基づいて、第１通信部を介して、読み取りに関する情報を、読み取り媒体の識別情報に対応するメールアドレスへ送信するメッセージ送信制御を行う。
【００２２】
読み取り媒体を使って施錠解除した者（子供）であって、第１データベースに登録した者の読み取りに関する情報を、第２電話機などの使用者（当該子供の親）に電子メールで知らせることが可能になる。
【００２３】
また、好ましくは、発電を行う発電部と、発電部で発生した電力を蓄積する蓄電部とを更に備え、発電部や蓄電部は、操作部が取り付けられる筐体に配置されるものであり、発電部で発生した電力や、蓄電部に蓄積された電力に基づいて、施錠解除制御装置と施錠装置が駆動する。
【発明の効果】
【００２４】
以上のように本発明によれば、居室親機を操作しない状況で、施錠解除権限を持たない者の施錠解除要求に対して、施錠解除制御が可能な施錠解除制御装置を提供することができる。
【図面の簡単な説明】
【００２５】
【図１】本実施形態における施錠解除システムの概略図である。
【図２】施錠解除システムの各部の構成を示すブロック図である。
【図３】第１データベースの例を示す図である。
【図４】読み取り部の読み取りに対応して施錠解除した時に、第２電話機へ送信されるＳＭＳメッセージの例を示す図である。
【図５】第１電話機や第２電話機を介して施錠解除を行う手順を示すフローチャートである。
【図６】施錠装置が複数設けられた場合の、施錠解除システムの概略図である。
【図７】第１施錠装置が設けられた収納装置に収納物が保管された時に、第２電話機へ送信されるＳＭＳメッセージの例を示す図である。
【図８】メールアドレスを含む第１データベースの例を示す図である。
【図９】第１施錠装置が設けられた収納装置の施錠が解除されたが、収納物が保管されたか否かが判断出来ない時に、第２電話機へ送信されるＳＭＳメッセージの例を示す図である。
【発明を実施するための形態】
【００２６】
以下、本実施形態について、図を用いて説明する。本実施形態における施錠解除システム１は、施錠解除制御装置１０、施錠装置３０、第１電話機５１、第２電話機５２を備える（図１、図２参照）。
【００２７】
施錠解除制御装置１０は、操作部１１、表示部１３、第１通信部１５ａ、第２通信部１５ｂ、読み取り部１７、音声出力部１９ａ、音声入力部１９ｂ、記録部２１、制御部２３、発電部２５、蓄電部２７を有し、施錠装置３０で施錠及び施錠解除を行う物（施錠対象物、ドアなど）の近傍であって施錠対象物を含む施設（マンションなど）における当該施錠対象物の外側などに配置される。
【００２８】
操作部１１は、テンキーなどで、施錠対象物を含む施設に設けられた部屋への呼び出しを行う際の部屋番号入力のために使用される入力装置で、少なくとも０から９までの数字キーと、呼び出し指示キーを有する。
【００２９】
表示部１３は、部屋番号など、操作部１１で操作された情報を表示する。
【００３０】
第１通信部１５ａは、無線通信手段（携帯電話回線若しくは無線ＬＡＮ）を使って、第１電話機５１や第２電話機５２と通信を行う。
無線通信手段を用いるので、施錠解除制御装置１０は、通信線を、各部屋の第１電話機５１と配線する必要はない。
【００３１】
第２通信部１５ｂは、施錠装置３０と通信を行い、施錠解除制御装置１０から施錠装置３０へ、施錠の解除指令信号を送信する。
【００３２】
第２通信部１５ｂを介した施錠解除制御装置１０と施錠装置３０との通信は、無線によるものであってもよいし、有線によるものであってもよい。
【００３３】
施錠解除制御装置１０と施錠装置３０とが一体的に構成され、第２通信部１５ｂを介さずに、制御部２３によって直接的に施錠装置３０の施錠や施錠解除が制御される形態であってもよい。
【００３４】
読み取り部１７は、カードや指紋認証など、読み取り媒体に含まれる使用者の識別情報を読み取りする装置で、読み取りが出来た場合には、制御部２３が、第２通信部１５ｂを介して、施錠装置３０へ施錠の解除指令信号を送信する。
【００３５】
また、読み取りした読み取り媒体の識別情報に対応する識別番号（識別情報そのものであってもよい）が第１データベースで指定されたものである場合は、当該読み取りに関する情報（識別情報に対応する使用者名称、読み取り日時を含む）が、第１通信部１５ａを介して、ＳＭＳで、第２電話機５２へ送信される。
【００３６】
読み取り部１７による読み取りの対象となる媒体（読み取り媒体）は、カードなどの使用者が保有する物であってもよいし、指紋や静脈のように使用者の体内の一部の特徴がパターン化されたものであってもよい。
【００３７】
識別情報の読み取り媒体（カードなど）を紛失した場合、宅配業者など施錠対象物を含む施設の部外者など読み取り部１７で読み取りする識別情報を保有しない場合、すなわち、施錠解除権限を持たない場合は、読み取り部１７を介しての施錠解除は出来ない。
【００３８】
この場合、施錠解除要求のために、操作部１１を使って、所定の部屋番号（施錠解除を要求する使用者の部屋の番号）を入力して、当該部屋番号に対応する第１電話機５１（第１電話機５１が繋がらない場合は、第２電話機５２）へ発呼し、第１電話機５１や第２電話機５２からの施錠解除指令を受ける必要がある。
【００３９】
音声出力部１９ａは、スピーカーなどで構成され、第１電話機５１や第２電話機５２との通話時に、第１電話機５１や第２電話機５２を操作する通話者の通話音声を出力する。
【００４０】
音声入力部１９ｂは、マイクなどで構成され、第１電話機５１や第２電話機５２との通話時に、第１通信部１５ａ側の通話者の通話音声を入力する。
【００４１】
記録部２１は、操作部１１を使って呼び出しを行う部屋の番号ごとに、部屋番号と、第１電話機５１の電話番号と、第２電話機５２の電話番号と、第２電話番号５２へ送信するＳＭＳメッセージ（読み取りに関する情報）に含まれる使用者名称であって読み取り部１７を介して施錠解除した読み取り媒体の識別情報に対応するものの名称との関係を示す第１データベースを記録する（図３参照）。
【００４２】
本実施形態では、３つの部屋（部屋番号１０３、１０４、１０５）について、それぞれの第１電話機５１や第２電話機５２の電話番号と、読み取り媒体の識別情報に対応する識別番号と当該識別情報に対応する使用者名称が、第１データベースに登録された例を示す。
【００４３】
読み取り部１７で、識別番号：１０３１の読み取り媒体の読み取りを行って施錠解除させた場合、施錠解除日時（図４では、２０１４年１２月３日１４時３０分）と、識別番号：１０３１に対応する使用者名称：“たけし”をつかって、読み取りに関する情報が、部屋番号１０３に対応する第２電話機５２の電話番号：０９０−３４２５−３２△■に送信される（図４参照）。
【００４４】
読み取り部１７で、識別番号：１０３２の読み取り媒体の読み取りを行って施錠解除させた場合、施錠解除日時と、識別番号：１０３２に対応する使用者名称：“けんじ”をつかって、読み取りに関する情報が、部屋番号１０３に対応する第２電話機５２の電話番号：０９０−３４２５−３２△■に送信される。
【００４５】
読み取り部１７で、識別番号：１０４２の読み取り媒体の読み取りを行って施錠解除させた場合、施錠解除日時と、識別番号：１０４２に対応する使用者名称：“まき”をつかって、読み取りに関する情報が、部屋番号１０４に対応する第２電話機５２の電話番号：０８０−５２３４−２５●○に送信される。
【００４６】
読み取り媒体の識別情報に対応する識別番号や当該識別番号に対応する使用者名称、若しくは第２電話機５２の電話番号の設定が行われていない等、読み取りした読み取り媒体の識別情報に対応する識別番号が第１データベースで指定されたものでない場合には、読み取りに関する情報の送信は行われない。
【００４７】
第１データベースは、操作部１１を介した入力操作によって作成される形態でもよいし、第１通信部１５ａなどを介して施錠解除制御装置１０と接続したパーソナルコンピュータを使って作成される形態であってもよい。
【００４８】
制御部２３は、施錠解除制御装置１０の各部（操作部１１、表示部１３、第１通信部１５ａ、第２通信部１５ｂ、読み取り部１７、音声出力部１９ａ、音声入力部１９ｂ、記録部２１、発電部２５、蓄電部２７）を制御する。
【００４９】
特に本実施形態では、制御部２３は、操作部１１を使った操作（部屋番号の入力と、呼び出し指示キーの入力）で、当該部屋番号に対応する部屋の呼び出しが行われた場合（図５のステップＳ１１）に、第１データベースに基づいて、第１通信部１５ａから当該部屋番号に対応する第１電話機５１へ発呼させる（図５のステップＳ１２）。
【００５０】
また、第１通信部１５ａから第１電話機５１への発呼の後、第１時間ｔ１（たとえば、ｔ１＝３０秒）が経過するまでに、第１電話機５１からの応答が無い（呼び出しに応じない）場合（図５のステップＳ１３、Ｓ１４）は、制御部２３は、第１通信部１５ａから第１電話機５１への発呼を解除し、第２電話機５２へ発呼させる発呼切り替え制御を行う（図５のステップＳ１５）。
【００５１】
第１通信部１５ａから第２電話機５２への発呼の後、第１時間ｔ１が経過するまでに、第２電話機５２からの応答が無い場合（図５のステップＳ１６、Ｓ１７）は、制御部２３は、第１通信部１５ａから第２電話機５２への発呼を解除する（図５のステップＳ１８）。
【００５２】
また、読み取り部１７による読み取り媒体に含まれる識別情報の読み取りが行われ、当該読み取りに対応して、第２通信部１５ｂから施錠装置３０への施錠の解除指令信号が送信された時（施錠解除が行われた時）であって、読み取りした読み取り媒体に含まれる識別情報（若しくは当該識別情報に対応する識別番号）が第１データベースで指定されたものである場合は、制御部２３は、第１データベースに基づいて、読み取りに関する情報を、ＳＭＳで、当該識別情報に対応する部屋番号の第２電話機５２へ送信するメッセージ送信制御を行う。
【００５３】
発電部２５は、太陽光パネルなど、発電を行う装置で、蓄電部２７は、発電部２５で発生した電力を蓄積し、施錠解除制御装置１０の各部や施錠装置３０へ電力を供給する。
発電部２５や蓄電部は、施錠解除制御装置１０の操作部１１が取り付けられる筐体２９に配置される。
【００５４】
施錠解除制御装置１０に、発電部２５と蓄電部２７が設けられるので、外部から電力線の配線を行う必要が無いし、停電時でも、施錠解除制御装置１０と施錠装置３０を駆動して、施錠解除制御を行うことが出来る。
【００５５】
施錠装置３０は、電子錠など、ドアなど施錠対象物の施錠及び施錠解除を行う装置で、当該施錠対象物が施錠解除された状態が一定時間経過すると施錠を行い、第２通信部１５ｂを介した解除指令信号に基づいて施錠状態を解除する。
【００５６】
第２通信部１５ｂから施錠装置３０への解除指令信号の送信は、読み取り部１７による読み取り媒体に含まれる識別情報の読み取りが行われた時や、第１通信部１５ａを介して通信状態となった第１電話機５１や第２電話機５２において所定の操作が行われた時に、行われる。
【００５７】
第１電話機５１は、操作部１１を介して、操作部１１を使った操作（部屋番号の入力と、呼び出し指示キーの入力）で、当該部屋番号に対応する部屋の呼び出しが行われた場合に、第１通信部１５ａから優先的に発呼される電話機で、当該部屋に配置され、当該部屋に配線された電話回線と有線接続された固定電話機が用いられるのが望ましい（図５のステップＳ１２）。
【００５８】
第１通信部１５ａからの発呼に基づく通話時に、第１電話機５１において所定の操作（たとえば、“＊”キーの操作）が行われた場合（図５のステップＳ１９）に、制御部２３は、第２通信部１５ｂを介して、施錠装置３０に対して、施錠の解除指令信号を送信する（図５のステップＳ２０）。
【００５９】
第２電話機５２は、操作部１１を介して、操作部１１を使った操作（部屋番号の入力と、呼び出し指示キーの入力）で、当該部屋番号に対応する部屋の呼び出しが行われた場合であって、着信後第１時間ｔ１の間、第１電話機５１からの応答が無い場合に、第１通信部１５ａから発呼される電話機で、当該部屋の使用者の携帯電話であってＳＭＳメッセージの表示が可能なものが用いられるのが望ましい（図５のステップＳ１５）。
【００６０】
第１通信部１５ａからの発呼に基づく通話時に、第２電話機５２において所定の操作（たとえば、“＊”キーの操作）が行われた場合（図５のステップＳ１９）に、制御部２３は、第２通信部１５ｂを介して、施錠装置３０に対して、施錠の解除指令信号を送信する（図５のステップＳ２０）。
【００６１】
たとえば、操作部１１を介して、部屋番号：１０３と、呼び出し指示キーの入力が行われた場合には、制御部２３は、第１通信部１５ａを介して、部屋番号：１０３に対応する第１電話機５１の電話番号：０３−１２３４−４３●●に発呼させる（施錠解除要求）。
【００６２】
部屋番号：１０３に対応する第１電話機５１が応答し、第１通信部１５ａと当該第１電話機５１とが通話状態になり、当該通話状態で、当該第１電話機５１の使用者が所定の操作を行った場合には、当該所定の操作に対応して、制御部２３は、第２通信部１５ｂを介して、施錠装置３０に対して、施錠の解除指令信号を送信する。
【００６３】
当該第１電話機５１への発呼から第１時間ｔ１が経過するまでに、部屋番号：１０３に対応する第１電話機５１が応答せず、第１通信部１５ａと当該第１電話機５１とが通話状態にならなかった場合には、制御部２３は、当該第１電話機５１への発呼を解除し、第１通信部１５ａを介して、部屋番号：１０３に対応する第２電話機５２の電話番号：０９０−３４２５−３２△■に発呼させる（施錠解除要求）。
【００６４】
部屋番号：１０３に対応する第２電話機５２が応答し、第１通信部１５ａと当該第２電話機５２とが通話状態になり、当該通話状態で、当該第２電話機５２の使用者が所定の操作を行った場合には、当該所定の操作に対応して、制御部２３は、第２通信部１５ｂを介して、施錠装置３０に対して、施錠の解除指令信号を送信する。
【００６５】
当該第２電話機５２への発呼から第１時間ｔ１が経過するまでに、部屋番号：１０３に対応する第２電話機５２が応答せず、第１通信部１５ａと当該第２電話機５２とが通話状態にならなかった場合には、制御部２３は、当該第２電話機５２への発呼を解除する。
【００６６】
第１電話機５１の近くに人が居ないなど、部屋に配置された固定電話（第１電話機５１）を操作することが出来る状況でない場合でも、使用者が保持している可能性が高い携帯電話（第２電話機５２）で応答が出来れば、施錠解除権限を持たない者の施錠解除要求に対して、第２電話機５２を使って施錠解除を行わせることが可能になる。
【００６７】
施錠解除権限を持たない者としては、宅配業者など施錠対象物を含む施設の部外者など読み取り部１７で読み取りする識別情報を保有しない者や、カードなど読み取りする識別情報を含む媒体を忘れたり紛失してしまったりした者が考えられる。
【００６８】
第１通信部１５ａからの発呼に応答した第１電話機５１や第２電話機５２において、所定の操作を行えば、施錠解除が出来るため、第１電話機５１や第２電話機５２に特定のソフトウエアをインストールする必要はない。
【００６９】
また、読み取り媒体を使って施錠解除した者（子供）であって、第１データベースに登録した者の読み取りに関する情報を、第２電話機５２の使用者（当該子供の親）にＳＭＳで知らせることが可能になる。
【００７０】
ＳＭＳで知らせるため、第２電話機５２が携帯電話回線を使って通信可能な状態（ＳＭＳの受信が可能な状態）であれば、特定のソフトウエアをインストールする必要なく、施錠解除したことをすぐに第２電話機５２の使用者に知らせることが可能になる。
【００７１】
なお、施錠装置３０が複数設けられる形態であってもよい（図６参照）。
【００７２】
図６は、ロッカーなど収納物の収納装置が４つ設けられ、当該４つの収納装置のそれぞれに施錠装置３０（第１施錠装置３０ａ〜第４施錠装置３０ｄ）が設けられ、４つの施錠装置３０（第１施錠装置３０ａ〜第４施錠装置３０ｄ）のうち、１つの施錠装置（第１施錠装置３０ａ）が指定され、当該指定された施錠装置について、施錠解除制御が行われた状態を示す。
【００７３】
収納装置のそれぞれには、収納装置に収納物が収められているか否かを検知するために使用されるセンサー（第１センサー３１ａ〜第４センサー３１ｄ）が設けられる。
【００７４】
センサーとしては、一定時間ごとに収納装置の内部を撮影するカメラが考えられ、この場合には、収納物が収められていない時の画像と比較して、収納物が収められているか否かが判断される。
【００７５】
また、センサーとしては、一定時間ごとに収納装置の重さを計る計測装置が考えられ、この場合には、収納物が収められていない時の重さと比較して、収納物が収められているか否かが判断される。
【００７６】
操作部１１を介して、部屋番号と、呼び出し指示キーの入力が行われ、第１通信部１５ａを介した発呼に対応して、当該部屋番号に対応する第１電話機５１若しくは第２電話機５２で応答があった場合に、応答した第１電話機５１若しくは第２電話機５２を介して、所定の操作が行われると、制御部２３が、第１センサー３１ａ〜第４センサー３１ｄからの情報に基づいて、内部に収納物が収められていない収納装置の１つを指定し、当該指定した収納装置に設けられた施錠装置の施錠の解除指令信号を、第２通信部１５ｂを介して、送信する。
【００７７】
施錠解除された施錠装置に対応する収納装置に、収納物を保管させることが出来る。
【００７８】
また、制御部２３は、第１通信部１５ａを介して、施錠解除を行った施錠装置に対応する収納装置、すなわち、施錠が解除され収納物が保管された可能性が高い収納装置に関する情報（施錠解除日時や、施錠解除された施錠装置などを特定するための情報）を、第２電話機５２であって、当該所定の操作に使用されたもの、若しくは当該所定の操作に使用された第１電話機５１と第１データベースにおいて同じ部屋番号が付与されているものにＳＭＳで送信する（メッセージ送信制御、図７参照）。
【００７９】
たとえば、部屋番号：１０４の第１電話機５１（電話番号：０３−１２３４−５２□×）が、第１通信部１５ａと通話状態となり、当該第１電話機５１を介して所定の操作が行われた場合には、制御部２３は、部屋番号：１０４の第２電話機５２（電話番号：０８０−５２３４−２５●○）に、当該所定の操作に基づいて施錠解除を行った施錠装置に対応する収納装置に関する情報を、ＳＭＳで送信する。
【００８０】
また、部屋番号：１０４の第２電話機５２（０８０−５２３４−２５●○）が、第１通信部１５ａと通話状態となり、当該第２電話機５２を介して所定の操作が行われた場合には、制御部２３は、部屋番号：１０４の第２電話機５２（電話番号：０８０−５２３４−２５●○）に、当該所定の操作に基づいて施錠解除を行った施錠装置に対応する収納装置に関する情報を、ＳＭＳで送信する。
【００８１】
第２電話機５２の使用者は、当該施錠解除を行った施錠装置に対応する収納装置に関する情報を、ＳＭＳメッセージで確認することが出来、後で、施錠解除制御装置１０を使って、指定された収納装置に設けられた施錠装置の施錠を解除し、当該収納装置に保管された収納物を取り出すことが出来る。
【００８２】
なお、メッセージの内容としては、図７のように、「収納物が保管された旨」を記す形態であってもよいし、「施錠が解除された旨」を記す形態であってもよい（図９参照）。
【００８３】
また、前述のセンサー（第１センサー３１ａ〜第４センサー３１ｄ）などで、収納物が保管されたことを確認できた場合には、「収納物が保管された旨」を記すメッセージを第２電話機５２に送信し、施錠の解除はされたが、収納物が保管されたことまでは確認出来なかった場合には、「施錠が解除された旨」を記すメッセージを第２電話機５２に送信する形態であってもよい。
【００８４】
すなわち、この場合、センサー（第１センサー３１ａ〜第４センサー３１ｄ）であって、施錠の解除制御が行われた施錠装置に対応する収納装置に設けられたものからの情報に基づいて、施錠解除制御装置（制御部２３）は、当該収納装置に収納物が保管されたか否かを判断し、その結果、施錠の解除制御が行われた施錠装置に対応する収納装置に関する情報として、第２電話機５２へのメッセージの内容に、収納物が保管された旨を含めるか否かを判断する。
【００８５】
これにより、特定の収納装置の施錠が解除されたことだけでなく、当該収納装置に収納物が保管されたか否か（単に施錠解除しただけか否か）についても、第２電話機５２の使用者に知らせることが可能になる。
【００８６】
また、第１電話機５１や第２電話機５２で、施錠を解除させるための所定の操作の時に、施錠装置を指定する操作が行われる形態であってもよい。
【００８７】
たとえば、第１通信部１５ａからの発呼に基づく通話時に、第１電話機５１や第２電話機５２において、施錠を解除させるための所定の操作（たとえば、“＊”キーの操作）の前に、施錠装置の番号入力など、特定の施錠装置（たとえば、第１施錠装置３０ａ）を指定する操作が行われた場合（図５のステップＳ１９）に、制御部２３は、第２通信部１５ｂを介して、施錠装置３０のうち指定された施錠装置（ここでは、第１施錠装置３０ａ）に対して、施錠の解除指令信号を送信する（図５のステップＳ２０）。
この場合には、収納装置のそれぞれに収納物が収められているか否かを検知するセンサーを設けなくてもよい。
【００８８】
また、メッセージ送信制御では、ＳＭＳで、第２電話機５２にメッセージを送信する形態を説明したが、所定のメールアドレスに電子メールで、メッセージを送信する形態であってもよい。
【００８９】
この場合、記録部２１は、操作部１１を使って呼び出しを行う部屋の番号ごとに、部屋番号と、第１電話機５１の電話番号と、第２電話機５２の電話番号と、メールアドレスと、当該メールアドレスへ送信する電子メールのメッセージ（読み取りに関する情報）に含まれる使用者名称であって読み取り部１７を介して施錠解除した読み取り媒体の識別情報に対応するものの名称との関係を示す第１データベースを記録する（図８参照）。
【００９０】
また、読み取り部１７による読み取り媒体に含まれる識別情報の読み取りが行われ、当該読み取りに対応して、第２通信部１５ｂから施錠装置３０への施錠の解除指令信号が送信された時（施錠解除が行われた時）であって、読み取りした読み取り媒体に含まれる識別情報（若しくは当該識別情報に対応する識別番号）が第１データベースで指定されたものである場合は、制御部２３は、第１データベースに基づいて、読み取りに関する情報を、当該識別情報に対応する部屋番号のメールアドレスへ送信するメッセージ送信制御を行う。
【００９１】
読み取り媒体を使って施錠解除した者（子供）であって、第１データベースに登録した者の読み取りに関する情報を、第２電話機５２などの使用者（当該子供の親）に電子メールで知らせることが可能になる。
【００９２】
また、施錠装置３０が複数設けられる形態においては、制御部２３は、第１通信部１５ａを介して、施錠解除を行った施錠装置に対応する収納装置に関する情報（収納日時や、保管した収納装置を特定するための情報）を、メールアドレスであって、当該所定の操作に使用された第１電話機５１若しくは第２電話機５２と第１データベースにおいて同じ部屋番号が付与されているものに送信する（メッセージ送信制御）。
【００９３】
第２電話機５２などの使用者は、当該施錠解除を行った施錠装置に対応する収納装置に関する情報を、電子メールのメッセージで確認することが出来、後で、施錠解除制御装置を使って、指定された収納装置に設けられた施錠装置の施錠を解除し、当該収納装置に保管された収納物を取り出すことが出来る。
【符号の説明】
【００９４】
１  施錠解除システム
１０  施錠解除制御装置
１１  操作部
１３  表示部
１５ａ、１５ｂ  第１通信部、第２通信部
１７  読み取り部
１９ａ、１９ｂ  音声出力部、音声入力部
２１  記録部
２３  制御部
２５  発電部
２７  蓄電部
２９  筐体
３０  施錠装置
３０ａ〜３０ｄ  第１施錠装置〜第４施錠装置
３１ａ〜３１ｄ  第１センサー〜第４センサー
５１  第１電話機
５２  第２電話機
【要約】
【課題】  施錠解除制御装置を提供する。
【解決手段】  施錠解除制御装置は、部屋への呼び出しを行う際の番号入力のために使用される操作部を備える。無線通信手段を使って、第１電話機や第２電話機と通信を行う第１通信部を備える。部屋ごとに、部屋番号と、第１電話機の電話番号と、第２電話機の電話番号との関係を示す第１データベースを記録する記録部を備える。第１データベースに含まれる部屋番号に対応する部屋の呼び出しが行われた場合に、第１データベースに基づいて、第１通信部から部屋番号に対応する第１電話機への発呼が行われ、第１電話機への発呼の後、第１時間経過するまでに、第１電話機からの応答が無い場合は、部屋番号に対応する第２電話機への発呼が行われ、第１通信部と通話状態にある第１電話機若しくは第２電話機において所定の操作が行われた場合に、施錠解除制御装置は、施錠の解除制御を行う。
【選択図】図１【図１】
0005916163.tif 000002
【図２】
0005916163.tif 000003
【図３】
0005916163.tif 000004
【図４】
0005916163.tif 000005
【図５】
0005916163.tif 000006
【図６】
0005916163.tif 000007
【図７】
0005916163.tif 000008
【図８】
0005916163.tif 000009
【図９】
0005916163.tif 000010